(57)【特許請求の範囲】
【請求項１】
下方が開放されたケースと、該ケースに昇降自在に支持された棚部とを有する昇降棚であって、
前記棚部は、
一対の側板と、
両端が前記一対の側板に固定された長尺状の第１の棚板と、
前記第１の棚板の下方に配置され、両端が前記一対の側板に固定された長尺状の第２の棚板と、
前記第１および第２の棚板の長手方向のほぼ中央でこれらを連結する支持部材とを備え、
前記支持部材は、
前記第１の棚板に長手方向とほぼ直交する前後方向に沿って連結される第１の腕部と、
前記第２の棚板に長手方向とほぼ直交する前後方向に沿って連結される第２の腕部と、
前記第１および第２の腕部の後端同士を連結する連結部とを有する、ほぼコの字形状であることを特徴とする昇降棚。
【請求項２】
前記第１および第２の棚板は、後端から上方に延びる壁面を有していて、前後方向に沿った断面が、ほぼＬ字形状であることを特徴とする請求項１に記載の昇降棚。
【請求項３】
前記支持部材の前記第１および第２の腕部と前記連結部とは、一体成形された板金であり、
前記支持部材は、さらに、前記第１の腕部の先端に取り付けられ、前記第１の棚板を固定する樹脂製の上側部材と、
前記第２の腕部の側面に沿って取り付けられ、前記第２の棚板を載置する樹脂製の下側部材とを備えることを特徴とする請求項１または２に記載の昇降棚。
【発明の詳細な説明】
【技術分野】
【０００１】
本発明は、下方が開放されたケースと、ケースに昇降自在に支持された棚部とを有する昇降棚に関するものである。
【背景技術】
【０００２】
昇降棚は、例えばキッチンの上方に設置されていて、下方が開放されたケースと、このケースに昇降自在に支持された棚部とを備える。昇降棚の棚部は、前面が開放されていて、手動あるいは電動によりケースから下方に引き出された状態で、調理器具や調理材料、食器などの被収納物が前側から収納される。
【０００３】
特許文献１の図３には、前面が開放された棚部を備えた昇降棚が開示されている。この棚部は、一対の側板を含む板枠と、両端が一対の側板に支持されていて、被収納物が収納される上下２段の棚板とを備える。
【先行技術文献】
【特許文献】
【０００４】
【特許文献１】特開２００４−０８９７２１号公報
【発明の概要】
【発明が解決しようとする課題】
【０００５】
ところで、昇降棚では、収納スペースを拡大するために、棚部の幅を広く採ることが考えられる。ここで、棚板は、特許文献１に記載されているように、棚板の両端を一対の側板で支持する構成が一般的である。
【０００６】
このような場合には、例えば、棚板の長手方向の長さが短ければ（例えば１３５０ｍｍ以内程度であれば）撓むことはないが、長くなるほどに（例えば１８００ｍｍ程度）剛性が不足して、棚板が撓んでしまう事態が生じ得る。この事態を回避するために、棚板を厚くしたり、リブを立てたりして剛性を高めることが考えられるが、重量やサイズが増加し、外観上の存在感も過大になってしまうという問題がある。
【０００７】
他の対策としては、例えば棚板の長手方向のほぼ中央の前縁を鎖で吊ることや、棚部の中央付近に側板と同様の壁部を設けることが考えられる。しかし、このような棚部では、被収納物の出し入れや掃除の際に、鎖や壁部が邪魔となり、使い勝手を損なってしまう。
【０００８】
本発明は、このような課題に鑑み、使い勝手を損なわずに、剛性を向上できる昇降棚を提供することを目的としている。
【課題を解決するための手段】
【０００９】
上記課題を解決するために、本発明にかかる収納庫の代表的な構成は、下方が開放されたケースと、ケースに昇降自在に支持された棚部とを有する昇降棚であって、棚部は、一対の側板と、両端が一対の側板に固定された長尺状の第１の棚板と、第１の棚板の下方に配置され、両端が一対の側板に固定された長尺状の第２の棚板と、第１および第２の棚板の長手方向のほぼ中央でこれらを連結する支持部材とを備え、支持部材は、第１の棚板に長手方向とほぼ直交する前後方向に沿って連結される第１の腕部と、第２の棚板に長手方向とほぼ直交する前後方向に沿って連結される第２の腕部と、第１および第２の腕部の後端同士を連結する連結部とを有する、ほぼコの字形状であることを特徴とする。
【００１０】
上記構成によれば、第１の棚板と第２の棚板とが長手方向のほぼ中央で、前方側が開放されたコの字形状の支持部材で連結されている。このため、第１および第２の棚板に被収納物を出し入れする際や、掃除をする際に支持部材が邪魔にならず、使い勝手が損なわれない。
【００１１】
また、第１の棚板が上方から受けた荷重は、支持部材の第１の腕部、連結部および第２の腕部に伝達され、支持部材を回転させる力に変換される。支持部材を回転させる力は、第２の腕部が第２の棚板に連結されているために、第２の棚板の後方に向かう力に変換される。一方、第２の棚板は、棚板の面方向である前後方向には高い剛性を有している。このため、第２の棚板が後方に向かう力を受けても、第２の棚板は後方に撓むことがなく、結果的に、支持部材は回転しない。よって、第１の棚板は、支持部材により高い剛性で支持されていることになり、上方から荷重を受けても撓むことがない。
【００１２】
さらに、第２の棚板が上方から受けた荷重は、支持部材の第２の腕部、連結部および第１の腕部に伝達され、支持部材を回転させる力に変換される。支持部材を回転させる力は、第１の腕部が第１の棚板に連結されているために、第１の棚板の前方に向かう力に変換される。一方、第１の棚板は、棚板の面方向である前後方向には高い剛性を有している。このため、第１の棚板が前方に向かう力を受けても、第１の棚板は前方に撓むことがなく、結果的に、支持部材は回転しない。よって、第２の棚板は、支持部材により高い剛性で支持されていることになり、上方から荷重を受けても撓むことがない。したがって、上記昇降棚では、使い勝手を損なわずに、剛性を向上できる。
【００１３】
第１および第２の棚板は、後端から上方に延びる壁面を有していて、前後方向に沿った断面が、ほぼＬ字形状であるとよい。これにより、第１および第２の棚板の後方から、被収納物が落下することがない。
【００１４】
支持部材の第１および第２の腕部と連結部とは、一体成形された板金であり、支持部材は、さらに、第１の腕部の先端に取り付けられ、第１の棚板を固定する樹脂製の上側部材と、第２の腕部の側面に沿って取り付けられ、第２の棚板を載置する樹脂製の下側部材とを備えるとよい。これにより、ほぼコの字形状の板金を成形して、この板金に上側部材および下側部材を取付けることで、第１および第２の腕部と第１および第２の棚板とを連結する支持部材を製造可能となり、工数も掛からず、製造コストも抑えることができる。
【発明の効果】
【００１５】
本発明によれば、使い勝手を損なわずに、剛性を向上できる昇降棚を提供することができる。
【図面の簡単な説明】
【００１６】
【図１】本実施形態における昇降棚を示す図である。
【図２】昇降棚の支持部材を説明する図である。
【図３】昇降棚を側方から見た状態を示す図である。
【図４】昇降棚の上棚板および下棚板が上方から荷重を受けた状態を説明する図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
図１は、本実施形態における昇降棚を示す図である。図２は、昇降棚の支持部材を説明する図である。図２（ａ）は、支持部材の斜視図である。図２（ｂ）は、図２（ａ）の支持部材の分解斜視図である。図３は、昇降棚を側方から見た状態を示す図である。
【００１９】
昇降棚１００は、例えばキッチンの上方に設置されていて、下方が開放されたケース１１０と、ケース１１０に昇降自在に支持された棚部２００とを備えている。ケース１１０は、上板１２０、背板１３０、一対のケース用側板１４０ａ、１４０ｂとを有していて、棚部２００を収納するために内部が空洞となっている。また、ケース１１０の前面は、例えば透明な樹脂製の板材１５０で覆われていて、板材１５０の下方には前板１６０が設置されている。
【００２０】
ケース１１０は、上板１２０のほぼ中央に設置されたモータ１７０およびプーリー１８０と、上板１２０の両端部に設置された不図示のベルトローラーと、一対のケース用側板１４０ａ、１４０ｂに設置されたレール１９０とを備えている。プーリー１８０は、モータ１７０の駆動力を受けてベルト（不図示）を繰り出すあるいは巻き取るように回転する。ベルトローラーは、プーリー１８０の回転に伴ってベルトを下方に案内する。
【００２１】
一方、棚部２００の天板２０２の両端部には、ブラケット２０４を介して吊り上げローラー２０６が設置されている。但し、図中ではケース用側板１４０ａ側のみを示している。吊り上げローラー２０６は、プーリー１８０によりベルトが繰り出されると下方に移動し、ベルトが巻き取られると上方に移動する。このため、棚部２００は、吊り上げローラー２０６を介してベルトで吊られた状態でケース１１０に支持されていて、プーリー１８０の回転に従い、レール１９０に沿って上下方向（図１および図３に示す矢印方向）に昇降する。
【００２２】
また、棚部２００は、一対の側板２１０ａ、２１０ｂと、上下２段の第１の棚板（上棚板２２０）および第２の棚板（下棚板２３０）と、支持部材３００とを備える。上棚板２２０は、長手方向の長さが１８００ｍｍ程度の長尺状であり、両端が一対の側板２１０ａ、２１０ｂに固定されている。また、上棚板２２０は、後端から上方に延びる壁部２２２を有していて、長手方向とほぼ直交する前後方向に沿った断面がほぼＬ字形状となっている（図３参照）。上棚板２２０の前縁の端部２２４は、図示のように一対の側板２１０ａ、２１０ｂに固定されている。
【００２３】
下棚板２３０は、長手方向の長さが１８００ｍｍ程度の長尺状であって、長手方向に隣接するアルミニウムなどからなる金属棚２３０ａおよび網棚２３０ｂを含んでいる。金属棚２３０ａおよび網棚２３０ｂを含む下棚板２３０は、後端から上方に延びる壁部２３２を有していて、長手方向とほぼ直交する前後方向に沿った断面がほぼＬ字形状となっている（図３参照）。これらの金属棚２３０ａおよび網棚２３０ｂの前縁の端部には、両端が一対の側板２１０ａ、２１０ｂに固定された前フレーム２４０が設置されている。また、前フレーム２４０のさらに前方には、両端が一対の側板２１０ａ、２１０ｂに固定され、ほぼ中央で支持部材３００に支持された丸フレーム２５０が設置されている。
【００２４】
ここで、上棚板２２０の下面には、例えば、調味料用ラック２６０と、また板用ラック２７０とが取り付けられている。下棚板２３０の網棚２３０ｂ上には、皿立て用ラック２８０が取り付けられている。昇降棚１００は、棚部２００の上棚板２２０、下棚板２３０および各ラック２６０、２７０、２８０に被収納物が収納されることで、キッチンの上方空間を有効に活用する。なお、図３では、便宜上、各ラック２６０、２７０、２８０を省略して示している。
【００２５】
支持部材３００は、上棚板２２０および下棚板２３０の長手方向のほぼ中央でこれらを連結する部材であり、連結した状態で棚部２００の前方側が開放された、ほぼコの字形状を有する。支持部材３００は、図２に示すように、第１の腕部である上腕部３１０、第２の腕部である下腕部３２０および連結部３３０が一体成形された板金３４０と、樹脂製の上側部材３５０、下側部材３６０およびキャップ３７０ａ、３７０ｂ、３７０ｃと、ネジ３８０ａ、３８０ｂ、３８０ｃとを備える。
【００２６】
上腕部３１０は、上棚板２２０に長手方向とほぼ直交する前後方向に沿って連結されていて、先端には上棚板２２０を固定するための上側部材３５０が取り付けられている。上側部材３５０は、先端部３５２から内部にネジ溝が形成された孔部３５４を有する。上側部材３５０は、孔部３５４にネジ３８０ａを締め込むことで相対的に上側部材３５０を押し出して、上棚板２２０と係合させることができる（図４参照）。さらに、ネジ３８０ａが螺合した上側部材３５０には、化粧のためのキャップ３７０ａが取り付けられる。
【００２７】
下腕部３２０は、下棚板２３０に長手方向とほぼ直交する前後方向に沿って連結されていて、側面には金属棚２３０ａおよび網棚２３０ｂを載置するための下側部材３６０が取り付けられている。下側部材３６０は、穴部３６２、３６４を有していて、ネジ３８０ｂ、３８０ｃが挿入される。また、下腕部３２０は、ネジ溝が形成された孔部３４２、３４４を有する。
【００２８】
下側部材３６０は、穴部３６２、３６４に挿入されたネジ３８０ｂ、３８０ｃが下腕部３２０の孔部３４２、３４４に螺合することで、下腕部３２０に固定される。さらに、ネジ３８０ｂ、３８０ｃが螺合した下側部材３６０には、化粧のためのキャップ３７０ｂ、３７０ｃが取り付けられる。また、連結部３３０は、図３に示すように、上腕部３１０および下腕部３２０の後端同士を連結する。
【００２９】
図４は、昇降棚１００の上棚板２２０および下棚板２３０が上方から荷重を受けた状態を説明する図である。図４（ａ）は、上棚板２２０が上方から荷重を受けた状態を矢印Ａおよび矢印Ｘ１、Ｘ２、Ｘ３を用いて説明する図である。図４（ｂ）は、下棚板２３０が上方から荷重を受けた状態を矢印Ｂおよび矢印Ｙ１、Ｙ２、Ｙ３を用いて説明する図である。
【００３０】
図４（ａ）に示すように、上棚板２２０が上方から荷重（矢印Ａ）を受けると、支持部材３００の上腕部３１０が下方に押付けられる（矢印Ｘ１）。矢印Ｘ１で示す力は、上腕部３１０、連結部３３０および下腕部３２０に伝達されて、支持部材３００を回転させる力（矢印Ｘ２）に変換される。
【００３１】
矢印Ｘ２で示す支持部材３００を回転させる力は、下腕部３２０が下棚板２３０に連結されているので、下棚板２３０の後方に向かう力（矢印Ｘ３）に変換される。一方、下棚板２３０は、棚板の面方向である前後方向には高い剛性を有している。このため、下棚板２３０が矢印Ｘ３に示す後方に向かう力を受けても、下棚板２３０は後方に撓むことがなく、結果的に、支持部材３００は回転しない。よって、上棚板２２０は、支持部材３００によって高い剛性で支持されていることになり、上方から矢印Ａに示す荷重を受けても撓むことがない。
【００３２】
図４（ｂ）に示すように、下棚板２３０が上方から荷重（矢印Ｂ）を受けると、支持部材３００の下腕部３２０が下方に押付けられる（矢印Ｙ１）。矢印Ｙ１で示す力は、下腕部３２０、連結部３３０および上腕部３１０に伝達されて、支持部材３００を回転させる力（矢印Ｙ２）に変換される。
【００３３】
矢印Ｙ２で示す支持部材３００を回転させる力は、上腕部３１０が上棚板２２０に連結されているので、上棚板２２０の前方に向かう力（矢印Ｙ３）に変換される。一方、上棚板２２０は、棚板の面方向である前後方向には高い剛性を有している。このため、上棚板２２０が矢印Ｙ３に示す前方に向かう力を受けても、上棚板２２０は前方に撓むことがなく、結果的に、支持部材３００は回転しない。よって、下棚板２３０は、支持部材３００によって高い剛性で支持されていることになり、上方から矢印Ｂに示す荷重を受けても撓むことがない。
【００３４】
これらのことから、本実施形態のおける昇降棚１００では、上棚板２２０および下棚板２３０の長手方向のほぼ中央で前後方向に沿って、これらを支持部材３００で連結するので、剛性を向上できる。
【００３５】
また、支持部材３００が棚部２００の前方側に開放された、ほぼコの字形状であるから、棚部２００に被収納物を収納する際や掃除をする際に、使い勝手が損なわれない。
【００３６】
また、上棚板２２０および下棚板２３０が後端から上方に延びる壁部２２２、２３２を有しているので、上棚板２２０および下棚板２３０の背面から被収納物が落下することを防止できる。
【００３７】
さらに、支持部材３００は、上腕部３１０、下腕部３２０および連結部３３０が一体成形された板金３４０に、樹脂製の上側部材３５０および下側部材３６０を取付けることで製造可能であり、工数も掛からず、製造コストも抑えられる。
【００３８】
上記実施形態では、支持部材３００の上腕部３１０が、上棚板２２０の前後方向の後縁から前側付近まで延びて、上棚板２２０と連結している例を示したが、これに限られない。一例として、支持部材３００の上腕部３１０は、上棚板２２０の後縁から前縁に亘って連結されていてもよい。言うまでもなく、上棚板２２０をより高い剛性で支持するには、支持部材３００の上腕部３１０の先端が、上棚板２２０の前縁に近づくほど好ましい。
【００３９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４０】
本発明は、下方が開放されたケースと、ケースに昇降自在に支持された棚部とを有する昇降棚に利用することができる。
【符号の説明】
【００４１】
１００…昇降棚、１１０…ケース、１２０…上板、１３０…背板、１４０ａ、１４０ｂ…ケース用側板、１５０…板材、１６０…前板、１７０…モータ、１８０…プーリー、１９０…レール、２００…棚部、２０２…天板、２０４…ブラケット、２０６…吊り上げローラー、２１０ａ、２１０ｂ…側板、２２０…上棚板（第１の棚板）、２２２…壁部、２２４…端部、２３０…下棚板（第２の棚板）、２３０ａ…金属棚、２３０ｂ…網棚、２３２…壁部、２４０…前フレーム、２５０…丸フレーム、２６０…調味料用ラック、２７０…また板用ラック、２８０…皿立て用ラック、３００…支持部材、３１０…上腕部（第１の腕部）、３２０…下腕部（第２の腕部）、３３０…連結部、３４０…板金、３４２、３４４…孔部、３５０…上側部材、３５２…先端部、３５４…孔部、３６０…下側部材、３６２、３６４…穴部、３７０ａ、３７０ｂ、３７０ｃ…キャップ、３８０ａ、３８０ｂ、３８０ｃ…ネジ
【図１】
0005645695.tif 000002
【図２】
0005645695.tif 000003
【図３】
0005645695.tif 000004
【図４】
0005645695.tif 000005